(57)【要約】【課題】装置の設定が簡単に行なえて、釣糸のスプールからの繰り出しまたはスプールへの巻き取り量を検出することの出来るスピニングリールの糸検出装置を提供する。【解決手段】発光部及びこの発光部から発光された光線を受光する受光部を有して、釣糸がスプールに巻き取られる際、または釣糸がスプールから繰り出される際に釣糸を非接触で検出する光線センサーを、スピニングリールを取り付ける釣竿に設けた。【選択図】図１
2006081527.tif 000002
【特許請求の範囲】
【請求項１】
スプールに巻き取られる釣糸またはスプールから繰り出される釣糸を検出するようにしたスピニングリールの釣糸検出装置であって、光線の発光部及びこの発光部から発光された光線を受光する受光部を有して、釣糸がスプールに巻き取られる際、または釣糸がスプールから繰り出される際に釣糸を非接触で検出するセンサーを、スピニングリールの静止部材またはこのスピニングリールを取り付ける釣竿に設けるようにしていることを特徴とするスピニングリールの釣糸検出装置。
【請求項２】
光線の受光部を少なくとも２個備えると共に、発光部から発光される光線を少なくとも２条備えて、それら各光線を各受光部でそれぞれ個別に受光するようにしている請求項１に記載のスピニングリールの釣糸検出装置。
【請求項３】
光線の波長感度がお互いに異なる受光部を少なくとも２個備えると共に、発光部から発光されるお互いに波長がことなる少なくとも２個の光線を備えて、それら各光線を各受光部でそれぞれ個別に受光するようにしている請求項１に記載のスピニングリールの釣糸検出装置。
【請求項４】
光線の変調波長感度がお互いに異なる受光部を少なくとも２個備えると共に、発光部から発光されるお互いに変調波長がことなる少なくとも２個の光線を備えて、それら各光線を各受光部でそれぞれ個別に受光するようにしている請求項１に記載のスピニングリールの釣糸検出装置。
【請求項５】
スピニングリールの静止部材または釣竿に一組の発光部、受光部を設けている
請求項１に記載のスピニングリールの釣糸検出装置。
【発明の詳細な説明】
【発明の属する分野】
本発明は魚釣りに用いられるスピニングリールの釣糸検出装置に関する。
【背景技術】  一般にこの種のスピニングリールは、ハンドルの駆動操作により回転する回転枠と、この回転枠に、釣糸巻取り位置と開放位置とに位置変更可能に設けたベールと、同じくハンドルの駆動操作により軸方向に往復動するスプール軸と、このスプール軸の長さ方向一端側に組み付けたスプールとを備えて成り、このスプールに巻き取られたいる釣糸は、ベールを開放位置に切り換えることで、スプールから前方に略螺旋状に繰り出され、またスプールから繰り出された釣糸は、ベールを釣糸巻取り位置に切り換えた上で、ハンドルを駆動操作して、回転枠を回転させることにより、釣糸をアームローラーを介してスプールの外周に巻き取るようにしている。
ところで以上のスピニングリールにおいて、スプールからの釣糸の繰り出し量や、スプールへの釣糸の巻取り量を検出するために、例えば特開２０００−３２１０４２に示されているように、赤外線を放出する発光部と、この発光部から放出された赤外線を受光する受光部とから成る赤外線センサーを用い、赤外光反射体をスプール軸の先端に、また発光部と受光部を釣竿の握り部近くにそれぞれ取り付けて、発光部から放出される赤外線が釣糸で遮断されるのを検出し、その検出回数に基づいて、釣糸がスプールから繰り出された量またはスプールに巻き取られた量を検出するようにしている。
【発明が解決しょうとする課題】
しかしながら特開２０００−３２１０４２に示された装置にあっては、検出装置を構成する発光部、受光部と反射体が離れて構成されており、スピニングリールと竿に設定する時、計測光束に関しての発光部、受光部と反射体との位置調整が必要となり、更に実用上反射体が汚れることにより計測誤差が発生する。
本発明は以上の実情に鑑みて開発したものであって、目的とするところは、装置の設定、調整が簡単でしかも汚れにつよい、釣糸のスプールからの繰り出しまたはスプールへの巻き取り量を検出することの出来るスピニングリールの糸検出装置を供することにある。
【課題を解決するための手段】
以上の目的を達成するために、請求項１に記載のスピニングリールは、光線発光部及びこの発光部から発光された光線を受光する受光部を有して、釣糸がスプールに巻き取られる際、または釣糸がスプールから繰り出される際に釣糸を非接触で検出する装置を、スピニングリールの静止部材またはスピニングリールを取り付ける釣竿に設けたものである。
請求項２記載の発明は、請求項１記載の糸検出装置において、光線の受光部を少なくとも２個備えると共に、発光部から発光される光線を少なくとも２条備えて、各光線を各受光部でそれぞれ個別に受光するようにしたものである。
請求項３記載の発明は、請求項１記載の糸検出装置において、波長感度がお互いに異なる受光部を少なくとも２個備えると共に、発光部から発光されるお互いに波長がことなる光線を少なくとも２個備えて、それら各光線を各受光部でそれぞれ個別に受光するようにしたものである。
請求項４記載の発明は、請求項１記載の糸検出装置において、変調波長感度がお互いに異なる受光部を少なくとも２個備えると共に、発光部から発光されるお互いに変調波長がことなる光線を少なくとも２個備えて、それら各光線を各受光部でそれぞれ個別に受光するようにしたものである。
また請求項５記載の発明は、請求項１記載の糸検出装置において、スピニングリールの静止部材または釣竿に一組の発光部、受光部を設けたものである。
【発明を実施するための最良の形態】図１は本発明の実施例である。図１において符号Ｒで示すスピニングリールは、第１及び第２取付腕１１、１２をもった回転枠１をリール本体２に回転自由に支持し、第１取付腕１１の先端側にアームローラ１３をもった支持アーム１４を枢着し、この支持アーム１４と第２取付腕１２との間にベール１５を釣糸巻取位置と開放位置とに位置変更可能に設けている。
またリール本体２には、その先端側にスプール２１を組み付けたスプール軸（図示せず）を往復動自由に設けて、リール本体２に回転自由に支持したハンドル２０の回転操作により、スプール軸を介してスプール２１を往復動させながら回転枠１を回転させ、アームローラ１３を介してスプール２１に釣糸を順次巻取るようにしたものである。
回転枠１の各取付腕１１、１２は、１８０度の位相差で対向状に設けており、また第１取付腕１１には、ベール１５を釣糸巻取位置と開放位置との一方に選択的に付勢させる反転ばね（図示せず）を設けている。
以上のスピニングリールは、リール本体２に設けた取付脚２２を、釣竿３の握り部３０に設けたリールホルダー３１に取り付けるようにしている。
しかして本発明は、以上のスピニングリールＲのスプール２１に巻き取られる釣糸Ｌ１またはスプール２１から繰り出される釣糸Ｌ２を検出するようにした釣糸検出装置に関するものであって、この釣糸検出装置に、発光部及びこの発光部から発光された光線を受光する受光部を有して、釣糸がスプールに巻き取られる際、または釣糸がスプールから繰り出される際に釣糸を非接触で検出する光線センサーを備え、光線センサーをスピニングリールの静止部材またはスピニングリールを取り付ける釣竿に設けるようにしたものである。
即ち、図１に示す実施形態の釣糸検出装置は、基本的には、スプール２１の先端部２１２にむかって光線を発光する図３、図４に示す発光部４１ａ、４１ｂ及びこの発光部４１ａ、４１ｂから発光された光線を受光する受光部４２ａ、４２ｂを備えた一組の第１及び第２光線センサー４ａ、４ｂと、スプール２１の外周部２１１に向かって照射する光線を応用して釣糸を巻いたスプールまでの距離を測定するオートフォーカスモジュールから成る距離検出器６と、これら光線センサー４ａ、４ｂと距離検出器６からの出力信号に基づいて、釣糸の繰り出し量または巻き取り量を演算するための演算部を備えたマイクロコンピュータから構成される図２に示すユニットＵの制御装置７と、この制御装置７の演算部で算出された釣糸の繰り出し量または巻き取り量をデジタル表示するための液晶モニター７０とを備えている。
図３は一組の第１及び第２光線センサー４ａ、４ｂ、その構成と光線状態を示したものである。図において４ａの発光部４１ａから発光した光線が釣糸５ａを照射してその反射光が受光部４２ａで受光されている様子を表し、また４ｂの発光部４１ｂから発光した光線が釣糸５ｂを照射してその反射光が受光部４２ｂで受光されている様子を表している。ここで釣糸５ａ、５ｂは４１ａ、４１ｂからの光線を釣糸が横切った状態を表している。対応して図１では４２ａの光束４１１ａ及び４１ｂの光束４１１ｂを釣糸Ｌ１、Ｌ２が横切っている状態を表す。釣糸がある場合と釣糸がない場合において、第１光線センサーの４２ａ、第２光線センサーの４２ｂの受光部でそれぞれ受光している信号において差をとり、釣糸が横切っていることを検出する。図１の構成では、釣糸がスプールの周りを一周するごとに４２ａ、４２ｂの出力を得て回転を検出する。釣糸Ｌ１はスプールに巻き取っている場合を、Ｌ２はスプールから繰り出されている状態を表し、釣糸の動きは図１の釣糸のラインガイド５０を頂点にしてスプールの外周を底面の外周とする略円錐状になっている。
釣糸検出を確実にするために４１ａ、４１ｂの光線の各光束を必要なサイズにし、例えば釣糸が光束を過ぎるところで糸直径の数倍程度に絞り、また４２ａ、４２ｂの受光部の受光角特性も必要なサイズに、例えば釣糸が光束を過ぎるところで糸直径の数から数百倍にしないといけない。これらを構成するための光学系を用意する。
また釣糸が巻きと取られているか繰り出されているかは、光束を横切っている時のそれら反射光を第１光線センサーの４２ａ、第２光線センサーの４２ｂの受光部でそれぞれ受光してそれらの信号処理で判定する。図２は図１に示す本発明装置の実施例であるユニットＵの構成を示している。４ａ、４ｂの出力信号として、それら信号を制御装置７に人力して、それら受光部の信号の反応順序によって釣糸が５ａから５ｂに動いているのかまたは逆なのかを判別する。釣糸がスプールを一周するごとに４２ａ、４２ｂの信号４２ａＳ、４２ｂＳが現れ４２ａＳと４２ｂＳの信号間隔は短く一周期の時間とは区分され、釣糸が５ａから５ｂに動いているのかその逆かは図４に示すように明確にわかる。即ち、図４において横軸は時間ｔを表わし縦軸は信号レベルＳを表わしており、図４のように４２ａＳ、４２ｂＳの信号があって１週期Ｔ１ごとに４２ａＳ、４２ｂＳの信号がくり返されている場合は、図３における釣糸は５ａから５ｂに動いており、図１のスプールの周りを回って巻き取られているか或いは繰り出されていることがわかる。
また、ユニットＵが釣竿３に取り付けられて、距離検出器６は、ユニットＵを構成している一つなので定位置となり、スプールに釣糸が巻きつけられている外周までの距離を計測する。スプールの回転中心は釣竿に対し距離は一定なのでこの計測距離情報によりスプールに釣糸が巻きつけられている外周の半径がわかり、半径から外周の長さがわかる。これらの演算は距離検出器６の信号を制御装置７に入力して行う。
第１光線センサーの４２ａＳ、第２光線センサーの４２ｂＳの信号と距離検出器６の信号を用いて、制御装置７でスプールに設定された初期の釣糸がいくら繰り出されているかが演算され、モニター７０にその値が表示される。
つまり、図１に示す実施形態では、図２に示すように、光線センサー４ａ、４ｂ、距離検出器６、制御装置７、およびモニター７０を一つのユニットＵに組み込み、このユニットＵを釣竿３の握り部３０に着脱可能に組み付ける。
ここではスプールに巻き取られている釣糸の直径を距離検出器６で計測して繰り出されている釣糸の長さを算出する方法を示した。もう一つの方法は、釣糸が取りつけられていない状態のスプール径が分っており、回転数、重層化されるメカニズムと釣糸の直径が分っている場合は巻き取り回転数のみで巻き取られている釣糸の長さは算出できる。これを応用して、スプールからの繰り出し回転数からスプールに巻かれている回転数を算出して、初期の巻かれている状態からいくら釣糸が繰り出されているかわかる。これらの算出方法は制御装置７に内臓しておく。
あるいは、繰り出した釣糸の長さを計測しその時の繰り出しの回転数を対応付ける校正をしておけばよい。新に釣糸をスプールに巻き取るときの回転数と釣糸の長さが対応している校正ができれば、繰り出す場合はその逆になり、繰り出し回転数から繰り出しの釣糸の長さは算出できる。これらの算出方法は制御装置７に内臓しておく。
またこれら発光部４１ａ、４１ｂより発光される光線は適当な発振周波数で発振させ太陽光などの有害光と区分させてＳ／Ｎ比を上げて使用してもよい。
図５は発光部４１ａの前面に光学系４１０ａを設け釣糸Ｌを効率よく光束を絞り照射している実施形で、もう一方の発光部４１ｂと光学系４１０ｂも同様に併設されているが紙面の裏にあたるため図では省いている。釣糸Ｌからの反射光は受光部４２ａの前面に光学系４２０ａを設けることによって受光光束を絞り効率よく受光している様子を示している。もう一方の受光部４２ｂと光学系４２０ｂも同様に併設されているが紙面の裏にあたるため図では省いている。
図６は発光部４１ａと受光部４２ａの構成にノイズ光を捉える光学コーン４３０を備えてハーフミラー４４０のノイズ反射光を捉えて効率のよいハーフミラーの光学系をしめしたものである。もう一方の光学系も同様に構成されているので図示していない。
図７は、２つの光束４１１ａ、４１１ｂを一個の発光素子４１ａで構成するもので、発光素子４１ａからの光束がハーフミラー４４０を介して位置が異なる釣糸５ａ、５ｂで反射し、入射時の光路４１１ａ、４１１ｂの逆路を通り、ハーフミラー４４０で反射して光学系７３、７４を介して受光部４２ａ、受光部４２ｂにいたるものである。この構成の特徴は光源が一個ですみ簡単な構成であることである。
図８は、図７と同様に光源は一個であるが光学系の配置が異なる例である。２つの光線光束４１１ａ、４１１ｂを一個の発光素子４１ａで構成するもので、発光素子４１ａからの光束がハーフミラー４４０を介して位置が異なる釣糸５ａ、５ｂで反射し、入射時の光線光束４１１ａ、４１１ｂの逆路を通り、ハーフミラー４４０で反射してミラー光学系４４２、４４３を介して受光部４２ａ、受光部４２ｂにいたるものである。
図９は二つの発光部を有する場合である。発光部４１ａから光学系４１０ａを介して光束４１１ａをつくり釣糸５ａを照射する。同様に、発光部４１ｂから光学系４１０ｂを介して光束４１１ｂをつくり釣糸５ｂを照射する。受光系は５ａの反射光を４２０ａの光学系で受光束８１をつくって、受光部４２ａで受光し電気信号に変換する。他方の受光系は４２０ｂの光学系で受光束８２をつくって、受光部４２ｂで電気信号に変換する。ここで問題は、光束４１１ａの５ａの反射光だけを４２ａで受光し、光束４１１ｂの５ｂの反射光だけを４２ｂで受光するようにすることである。一つは４２０ａ、４２０ｂの光学系を多少複雑であるが調整して、５ａ，５ｂの反射光が重なって４２０ａ、４２０ｂに入らないようにすることである。他方、かさなっても、５ａの反射光と５ｂの反射光が信号として分離できればよい。４１ａと４２ｂの発光部の発光分光波長が分光上重なっていなく、４２ａ、４２ｂの受光部の分光感度が分光上重なっていなければよい。例えば発光素子としては発光波長のことなるＬＥＤを用い、受光部としてはＳｉ受光素子の前面に各ＬＥＤの発光光束のみが受光されるような分光光学フィルターを着ければよい。４２０ａに５ａからの反射光と５ｂからの反射光が入り、また４２０ｂに５ａからの反射光と５ｂからの反射光が入っていても４２ａ、４２ｂのＳｉ受光素子には夫々の分光フィルターにより５ａの反射光は４２ａに５ｂの反射光は４２ｂにのみ入射し、分離できる。またこの場合には、これら発光部４１ａ、４１ｂより発光される光線は適当な発振周波数で発振させ太陽光などの有害光と区分させてＳ／Ｎ比を上げて使用してもよい。
もう一つの、５ａの反射光と５ｂの反射光が信号として分離できる方法を示す。発光部４１ａと発光部４２ｂの発光の分光特性は同じ場合で、４１ａの発光を制御する回路４３ａである周波数で発振さす。この周波数は釣糸５ａの動きにくらべ十分高い周波数とする。光束４１１ａを釣糸５ａが横切る時間に少なくとも１個以上はいるような周波数を選ぶ。同様に４１ｂの発光を制御する回路４３ｂである周波数で発振さす。この周波数は釣糸５ｂの動きにくらべ十分高い周波数とする。光束４１１ｂを釣糸５ｂが横切る時間に少なくとも１個以上はいるような周波数を選ぶ。重要な点は４１ａと４１ｂの発振周波数は異なるという点です。これらの５ａ，５ｂからの反射光が夫々４２０ａ、４２０ｂの光学系を介して受光部４２ａ、４２ｂに入射される。４２ａと４２ｂには夫々の信号を処理するために回路４４ａ、４４ｂが設けられており、４４ａは、発振回路４３ａの周波数の信号のみを通すフィルター回路で、４４ｂは、発振回路４３ｂの周波数の信号のみを通すフィルター回路である。すると５ａと５ｂの反射光が重なって各受光部４２ａ、４２ｂに人射しても問題なく分離される。
この電気信号分離の方式は、一個の受光光学系、一個の受光部に２種類のフィルター回路を有するものであってもよい。なぜなら時間的に４３ａと４３ｂの発振周波が重なることはないから計測釣糸が５ａの位置か５ｂの位置か信号分離によって判別できる。
さらに発振の周波数は適当に選ぶことができるから太陽光を含む外光の影響を極力抑えることができる。
図９は一光源二光路で発振周波数が異なる例である。４１ａは光源を表わし、ハーフミラー４４０、ミラー４４２を介して光線４４１ａ、光線４４１ｂにわけ、糸位置の５ａ、５ｂを照射している。ここで周波数変換器４４１、異なる周波数を出力する変換器４４２を４４１ａ、４４１ｂの光路に挿入することにより、一光源二光路で発振周波数が異なる例が構成される。周波数変換器はたとえばピエゾ効果を利用した偏向とピンホールｅｔｃで構成することが出来る。
図１０は釣竿３にユニットＵが取り付けられ、第１光線センサー４ａの光束４１１ａが釣糸Ｌに対し投光されている図である。同様に第２光線センサー４ｂの光束４１１ｂが釣糸Ｌに対し投光されているがこの紙面の略同じ部位に併設される図なので省略している。釣糸Ｌはスプール外周２１１とラインガイド５０を頂点とする円錐を略つくっている。この場合、光束４１１ａはスプールの先端に投光されていなく、最短距離の釣糸Ｌと最長距離の釣糸Ｌの２ヶ所で反射光がえられる。従って図４の１周期に４２ａ、４２ｂの信号は２回でることになる。２回を考慮すれば問題ない。しかし、問題なく一回にする方法がある。例えば、光束４１１ａが最短距離の釣糸Ｌと交わる付近で絞られ、他方の最長距離付近では広がるように４ａの投光光学系を設定すればよい。すると絞られたところは光束のエネルギー密度が高く反射光のエネルギーも大となり、ある高さ以上の反射光のみを捉えるようにすれば一ヶ所のみに反応する。これは第２光線センサー４ｂについても同様である。
図１１は光束４１１ａと光束４１１ｂが釣糸Ｌと交わる付近で光束重なり部５１０で重なっている場合である。この場合、同種の発光素子で異種の発振回路を用い、夫々の受光素子につながるフィルター回路は図９に示すように分離されているとする。図１１に示すように矢印に従って釣糸Ｌが動いた場合、それらフィルター回路４４ａ、４４ｂの出力信号は図１２のように示される。図１２において横軸は時刻ｔを表し縦軸は信号を表す。この図のように４４ａＳの信号が早く立ち上がり重なって４４ｂＳの信号が立ち上がり、下がる場合は４４ａＳが先に、４４ｂＳが後ということになる。逆に釣糸Ｌが動く場合は図１３のように４４ａＳ、４４ｂＳの信号出力はなる。この性質を利用して、例えば▲１▼４４ａＳ信号立ち上げー＞▲２▼４４ａＳ信号＋４４ｂＳ信号立ち上げなら釣糸は上から下に、逆に▲１▼４４ｂＳ信号立ち上げー＞▲２▼４４ｂＳ信号＋４４ａＳ信号立ち上げなら釣糸は下から上に動いていることがわがり、一周期を待たなくとも糸の動きが分り、たとえば風に吹かれて釣糸がゆれている場合でも釣糸の正確な動きがわかり、誤差の少ない釣糸距離を算出することができる。
図１４は、ベール１５のスプール前面を横切る部分を図示するように幅がことなるベール狭部１５０ａとベール広部１５０ｂの二つの部分にする実施例である。この場合釣糸を照射する光路は一光路でよく光学素子、電子回路等簡単になる。即ち、図１４に示すベールが光路を横切るとその反射光信号はパルス幅が異なる二つの信号を得ることのなり、動く方向がことなればこれら信号の出力の順が逆になり、約束ごとをきめておけばベール位置が釣糸巻取位置か、釣糸繰り出しの開放位置かわかる。これによりセンサーからの回転数が巻き取りなのか繰り出しなのかわかる。これらの演算方法は制御装置７に内臓されている。またベール位置が釣糸巻取位置か、釣糸繰り出しの開放位置かを別の方法、例えば別途ＬＥＤなどの発光素子を設けベールの位置でスイッチを動かしてセンサーに対し信号を送る方法でもよい。この場合は通常の信号伝達方法なので図示は省く。
本発明の説明では光線をもちいたがこれは可視光のみを示しているものではなく、赤外線あるいは紫外線などの光線と性質がにたものは本発明にふくまれる。
【発明の効果】
以上のごとく請求項１に記載の発明によれば、釣糸がスプールに巻き取られる際、または釣糸がスプールから繰り出される際に、釣糸を非接触で検出するセンサーを、スピニングリールの静止部材またはこのスピニングリールを取り付ける釣竿に設けるようにして、センサーの発光部および受光部の設定が容易に行なえて、それだけ製造コストを安価とすることが出来るし、しかも釣糸のスプールからの繰り出しまたはスプールへの巻き取り量を確実に検出することが出来るのである。
請求項２記載の発明によれば、請求項１記載の糸検出装置において、光線の受光部を少なくとも２個備えると共に、発光部から発光される光線を少なくとも２条備えて、それら各光線を各受光部でそれぞれ個別に受光するようにしたことにより、請求項１記載の発明の効果に加え、釣糸がスプールから繰り出されているのか若しくは釣糸がスプールに巻き取られているのかを簡単な構成でしかも自動的に判別することが可能となる。
請求項３記載の発明によれば、請求項１記載の糸検出装置において、光線の波長感度がお互いに異なる受光部を少なくとも２個備えると共に、発光部から発光されるお互いに波長がことなる少なくとも２個の光線を備えて、それら各光線を各受光部でそれぞれ個別に受光するようにしたことにより、請求項１記載の発明の効果に加え、釣糸がスプールから繰り出されているのか若しくは釣糸がスプールに巻き取られているのかを簡単な構成でしかも自動的に判別することが可能となる。
請求項４記載の発明によれば、請求項１記載の糸検出装置において、光線の変調波長感度がお互いに異なる受光部を少なくとも２個備えると共に、発光部から発光されるお互いに変調波長がことなる少なくとも２個の光線を備えて、それら各光線を各受光部でそれぞれ個別に受光するようにしたことにより、請求項１記載の発明の効果に加え、釣糸がスプールから繰り出されているのか若しくは釣糸がスプールに巻き取られているのかを簡単な構成でしかも自動的に判別することが可能となる。
請求項５記載の発明によれば、請求項１記載の糸検出装置において、スピニングリールの静止部材または釣竿に一組の発光部、受光部を設けることにより、請求項１記載の発明の効果に加え、釣糸がスプールから繰り出されているのかもしくは釣糸がスプールに巻き取られているのかを簡単にしかも自動的に判別することが可能となる。
【図面の簡単な説明】
【図１】  本発明にかかる釣糸検出装置の使用例を示す説明図。
【図２】  本発明にかかる釣糸検出装置の構成図。
【図３】  本発明にかかる釣糸検出装置の要部の説明図。
【図４】  本発明にかかる釣糸検出装置の要部の信号の説明図。
【図５】  本発明にかかる釣糸検出装置の要部の構成図。
【図６】  本発明にかかる釣糸検出装置の別の実施形態を示す要部の構成図。
【図７】  本発明にかかる釣糸検出装置の別の実施形態を示す要部の構成図。
【図８】  本発明にかかる釣糸検出装置の別の実施形態を示す要部の構成図。
【図９】  本発明にかかる釣糸検出装置の別の実施形態を示す要部の構成図。
【図１０】  本発明にかかる釣糸検出装置の別の実施形態を示す要部の構成図。
【図１１】  本発明にかかる釣糸検出装置の別の実施形態を示す要部の構成図。
【図１２】  本発明にかかる釣糸検出装置の別の実施形態を示す要部の信号の説明図。
【図１３】  本発明にかかる釣糸検出装置の別の実施形態を示す要部の信号の説明図。
【図１４】  本発明にかかる釣糸検出装置の別の実施形態を示す要部の構成図。
【図１５】  本発明にかかる釣糸検出装置の別の実施形態を示す要部の構成図。
【符号の説明】
Ｒ        スピニングリール
Ｌ        釣糸
Ｌ１      釣糸
Ｌ２      釣糸
Ｓ        信号
ｔ        時間
Ｔ１      周期
Ｕ        ユニット
１        回転枠
１１      第１回転腕
１２      第２回転腕
１３      アームローラー
１４      支持アーム腕
１５      ベール
１５０ａ  ベール狭部
１５０ｂ  ベール広部
２        リール本体
２０      ハンドル
２１      スプール
２１１    スプール
２１２    スプール先端部
２２      取付脚
３        釣竿
３０      釣竿の握り部
３１      リールホルダー
４ａ      第１光線センサー
４ｂ      第２光線センサー
４１ａ    発光部
４１ｂ    発光部
４１０ａ  光学系
４１０ｂ  光学系
４１１ａ  光束
４１１ｂ  光束
４２ａ    受光部
４２ｂ    受光部
４２ａＳ  信号
４２ｂＳ  信号
４２０ａ  光学系
４２０ｂ  光学系
４３０    光学コーン
４４０    ハーフミラー
４４１    ミラー
４４２    ミラー
４４３    ミラー
４４４    周波数変換器
４４５    周波数変換器
４４ａ    フィルター回路
４４ｂ    フィルター回路
４４ａＳ  フィルター回路信号
４４ｂＳ  フィルター回路信号
５ａ      釣糸
５ｂ      釣糸
５０      ラインガイド
５１０    光束重なり部
６        距離検出器
７        制御装置
７０      液晶モニター
７３      光学系
７４      光学系
８１      受光束
８２      受光束
【図１】
2006081527.tif 000003
【図２】
2006081527.tif 000004
【図３】
2006081527.tif 000005
【図４】
2006081527.tif 000006
【図５】
2006081527.tif 000007
【図６】
2006081527.tif 000008
【図７】
2006081527.tif 000009
【図８】
2006081527.tif 000010
【図９】
2006081527.tif 000011
【図１０】
2006081527.tif 000012
【図１１】
2006081527.tif 000013
【図１２】
2006081527.tif 000014
【図１３】
2006081527.tif 000015
【図１４】
2006081527.tif 000016
【図１５】
2006081527.tif 000017